(57)【要約】【課題】  色補正用原稿を用いて色再現性を補正する作業の手間を低減する画像読み取り装置、色補正用原稿、色補正方法及び色補正プログラムを提供する。【解決手段】  本発明に係る画像読み取り装置は、読み取り手段から出力されたディジタル画像であって色見本パッチと色見本パッチの測色値を特定するための色情報とが表記されている色補正用原稿を読み取って出力されたディジタル画像に基づいて色情報を認識し、認識した色情報に基づいて測色値を特定する測色値特定手段と、色補正用原稿を読み取って出力されたディジタル画像の色見本パッチを表す画素の階調値と測色値特定手段で特定された測色値とに基づいて補正値を設定する補正値設定手段と、読み取り手段で任意の原稿を読み取って出力されたディジタル画像の階調値を補正値設定手段で設定された補正値に基づいて補正する補正手段と、を備える。【選択図】    図１
2005184660.tif 000002
【特許請求の範囲】
【請求項１】
原稿を読み取ってディジタル画像を出力する読み取り手段と、
前記読み取り手段から出力されたディジタル画像であって色見本パッチと前記色見本パッチの測色値を特定するための色情報とが表記されている色補正用原稿を読み取って出力されたディジタル画像に基づいて前記色情報を認識し、認識した色情報に基づいて測色値を特定する測色値特定手段と、
前記色補正用原稿を読み取って出力されたディジタル画像の前記色見本パッチを表す画素の階調値と前記測色値特定手段で特定された測色値とに基づいて補正値を設定する補正値設定手段と、
前記読み取り手段で任意の原稿を読み取って出力されたディジタル画像の階調値を前記補正値設定手段で設定された補正値に基づいて補正する補正手段と、
を備えることを特徴とする画像読み取り装置。
【請求項２】
原稿を読み取ってディジタル画像を作成し、作成したディジタル画像の色空間を所定の色空間変換テーブルに基づいて別の色空間に変換して出力する読み取り手段と、
前記読み取り手段から出力されたディジタル画像であって色見本パッチと前記色見本パッチの測色値を特定するための色情報とが表記されている色補正用原稿を読み取って出力されたディジタル画像に基づいて前記色情報を認識し、認識した色情報に基づいて測色値を特定する測色値特定手段と、
前記色補正用原稿を読み取って出力されたディジタル画像の前記色見本パッチを表す画素の階調値と前記測色値特定手段で特定された測色値とに基づいて前記色空間変換テーブルを補正する変換テーブル更新手段と、
を備えることを特徴とする画像読み取り装置。
【請求項３】
前記色補正用原稿は前記色情報がバーコードで表記されていることを特徴とする請求項１又は２に記載の画像読み取り装置。
【請求項４】
前記色補正用原稿は前記色情報が文字で表記されていることを特徴とする請求項１又は２に記載の画像読み取り装置。
【請求項５】
前記文字は測色値を通信ネットワーク経由で取得するためのＵＲＬであることを特徴とする請求項４に記載の画像読み取り装置。
【請求項６】
前記色補正用原稿は互いに異なる色を表す複数の色見本パッチが表記され、
前記色情報は前記複数の色見本パッチの測色値の平均値を特定するための情報であり、
前記補正手段は前記平均値と前記複数の色見本パッチに対応する複数の階調値の平均値とに基づいて補正値を設定することを特徴とする請求項１〜５のいずれか一項に記載の画像読み取り装置。
【請求項７】
前記色補正用原稿は色見本パッチの有効期限が読み取り可能に表記され、
前記色補正用原稿を読み取って出力されるディジタル画像に基づいて前記有効期限を認識する有効期限認識手段と、
前記有効期限認識手段で認識された有効期限が過ぎていると警告を発する警告手段とを更に備えることを特徴とする請求項１〜６のいずれか一項に記載の画像読み取り装置。
【請求項８】
色見本パッチと、
前記色見本パッチの測色値を特定するための色情報と、
が読み取り可能に表記されていることを特徴とする色補正用原稿。
【請求項９】
原稿を読み取ってディジタル画像を出力する読み取り手段を備える画像読み取り装置の色補正方法であって、
色見本パッチと前記色見本パッチの測色値を特定するための色情報とが表記されている色補正用原稿を前記読み取り手段で読み取ってディジタル画像を出力する出力段階と、
前記出力段階で前記色補正用原稿を読み取って出力されたディジタル画像に基づいて前記色情報を認識し、認識した色情報に基づいて測色値を特定する測色値特定段階と、
前記色補正用原稿を読み取って出力されたディジタル画像の前記色見本パッチを表す画素の階調値と前記測色値特定段階で特定された測色値とに基づいて補正値を設定する補正値設定段階と、
前記読み取り手段で任意の原稿を読み取って出力されたディジタル画像の階調値を前記補正値設定段階で設定された補正値に基づいて補正する補正段階と、
を含むことを特徴とする色補正方法。
【請求項１０】
原稿を読み取ってディジタル画像を出力する読み取り手段を備える画像読み取り装置を、
前記読み取り手段から出力されたディジタル画像であって色見本パッチと前記色見本パッチの測色値を特定するための色情報とが表記されている色補正用原稿を読み取って出力されたディジタル画像に基づいて前記色情報を認識し、認識した色情報に基づいて測色値を特定する測色値特定手段と、
前記色補正用原稿を読み取って出力されたディジタル画像の前記色見本パッチを表す画素の階調値と前記測色値特定手段で特定された測色値とに基づいて補正値を設定する補正値設定手段と、
前記読み取り手段で任意の原稿を読み取って出力されたディジタル画像の階調値を前記補正値設定手段で設定された補正値に基づいて補正する補正手段として機能させることを特徴とする色補正プログラム。
【発明の詳細な説明】
【技術分野】
【０００１】
本発明は、画像読み取り装置、色補正用原稿、色補正方法及び色補正プログラムに関する。
【背景技術】
【０００２】
イメージスキャナなどの画像読み取り装置は、光源として用いる蛍光管の経年変化などによって色再現性が劣化することが知られている。また、経年変化のない状態であっても個体差によって色再現性が異なることも知られている。
こうした経年変化や個体差による色再現性の違いを簡易に補正する方法として、色見本パッチが表記されている色補正用原稿を用いる方法が知られている。この方法では、色補正用原稿を読み取ってディジタル画像を出力し、出力したディジタル画像において色見本パッチを表す画素の階調値と、当該色補正用原稿に表記されている色見本パッチを分光光度計などの測色機で予め測色しておいた測色値とを比較し、その差分に応じてディジタル画像の階調値を増減するなどによって補正している。画像読み取り装置がディジタル画像の色空間変換に用いるプロファイルを作り直すことによって補正することも可能であるが、上述した簡易な方法によるとプロファイルを一から作り直す場合に比べて簡素な処理で補正値を設定できる。
【発明の開示】
【発明が解決しようとする課題】
【０００３】
しかしながら、従来の画像読み取り装置では一般に測色値はファイルに格納されて添付のＣＤ−ＲＯＭなどの記録メディアに記録されていることが多い。当該ファイルは当該記録メディアに記録されている添付アプリケーションプログラムをパーソナルコンピュータ（ＰＣ）にインストールするときに所定の領域に書き込まれる場合もある。このため作業者は補正を行うとき測色値を格納したファイルを記録メディアあるいはＰＣの所定の領域から読み込まなければならず、作業に手間がかかるという問題がある。また、ファイルに格納されている測色値が対象とする色補正用原稿のロットと画像読み取り装置に添付されている色補正用原稿のロットとが異なっていることもある。この場合、当該ロットに対応する測色値が格納されているファイルを通信ネットワーク経由でダウンロードするなどの作業を行わなければならず手間がかかる。
【０００４】
本発明は、かかる問題に鑑みて創作されたものであって、色補正用原稿を用いて色再現性を補正する作業の手間を低減する画像読み取り装置、色補正用原稿、色補正方法及び色補正プログラムを提供することを目的とする。
【課題を解決するための手段】
【０００５】
上記目的を達成するため、本発明に係る画像読み取り装置は、原稿を読み取ってディジタル画像を出力する読み取り手段と、前記読み取り手段から出力されたディジタル画像であって色見本パッチと前記色見本パッチの測色値を特定するための色情報とが表記されている色補正用原稿を読み取って出力されたディジタル画像に基づいて前記色情報を認識し、認識した色情報に基づいて測色値を特定する測色値特定手段と、前記色補正用原稿を読み取って出力されたディジタル画像の前記色見本パッチを表す画素の階調値と前記測色値特定手段で特定された測色値とに基づいて補正値を設定する補正値設定手段と、前記読み取り手段で任意の原稿を読み取って出力されたディジタル画像の階調値を前記補正値設定手段で設定された補正値に基づいて補正する補正手段と、を備えることを特徴とする。この画像読み取り装置によると、色補正用原稿に表記されている色情報から測色値が特定されるため、作業者は色補正用原稿を読み取らせる作業だけを行えばよく、測色値が格納されているファイルを読み込んだり、読み込んだ測色値を画像読み取り装置に入力したりする作業を行う必要がない。また、色補正用原稿のロットと測色値が対象とするロットとのずれが起き難く、ダウンロードなどの作業が発生し難くい。よってこの画像読み取り装置によると、色補正用原稿を用いて色再現性を補正する作業の手間を低減できる。
【０００６】
上記目的を達成するため、本発明に係る画像読み取り装置は、原稿を読み取ってディジタル画像を作成し、作成したディジタル画像の色空間を所定の色空間変換テーブルに基づいて別の色空間に変換して出力する読み取り手段と、前記読み取り手段から出力されたディジタル画像であって色見本パッチと前記色見本パッチの測色値を特定するための色情報とが表記されている色補正用原稿を読み取って出力されたディジタル画像に基づいて前記色情報を認識し、認識した色情報に基づいて測色値を特定する測色値特定手段と、前記色補正用原稿を読み取って出力されたディジタル画像の前記色見本パッチを表す画素の階調値と前記測色値特定手段で特定された測色値とに基づいて前記色空間変換テーブルを補正する変換テーブル更新手段と、を備えることを特徴とする。この画像読み取り装置によると、色補正用原稿に表記されている色情報から測色値が特定されるため、作業者は色補正用原稿を読み取らせる作業だけを行えばよく、測色値が格納されているファイルを読み込んだり、読み込んだ測色値を画像読み取り装置に入力したりする作業を行う必要がない。また、色補正用原稿のロットと測色値とのずれが起き難く、ダウンロードなどの作業が発生し難くい。よってこの画像読み取り装置によると、色補正用原稿を用いて色再現性を補正する作業の手間を低減できる。
【０００７】
さらに本発明に係る画像読み取り装置では、前記色補正用原稿は前記色情報がバーコードで表記されていることを特徴とする。この画像読み取り装置によると、バーコードを読み取る公知の技術を流用できるため、色情報の認識が容易になる。
さらに本発明に係る画像読み取り装置では、前記色補正用原稿は前記色情報が文字で表記されていることを特徴とする。この画像読み取り装置によると、作業者が色情報を解釈できる。
【０００８】
さらに本発明に係る画像読み取り装置では、前記文字は測色値を通信ネットワーク経由で取得するためのＵＲＬであることを特徴とする。この画像読み取り装置によると、測色値に万一誤りがあったとしてもサーバ側の測色値を訂正するだけでよく、測色値の訂正が容易になる。
さらに本発明に係る画像読み取り装置では、前記色補正用原稿は互いに異なる色を表す複数の色見本パッチが表記され、前記色情報は前記複数の色見本パッチの測色値の平均値を特定するための情報であり、前記補正手段は前記平均値と前記複数の色見本パッチに対応する複数の階調値の平均値とに基づいて補正値を設定することを特徴とする。色見本パッチを表す階調値と測色値との差は色見本パッチが表す色によって異なる場合もあり得る。互いに異なる色を表す複数の色見本パッチに基づいて補正値を設定すると、色見本パッチが一つだけである場合に比べてより多くの色を測色値に近づけることのできる補正値を設定できる。従って補正の効果をより確実に得ることができる。
【０００９】
さらに本発明に係る画像読み取り装置では、前記色補正用原稿は色見本パッチの有効期限が読み取り可能に表記され、前記色補正用原稿を読み取って出力されるディジタル画像に基づいて前記有効期限を認識する有効期限認識手段と、前記有効期限認識手段で認識された有効期限が過ぎていると警告を発する警告手段とを更に備えることを特徴とする。この画像読み取り装置によると、退色した色補正用原稿を用いることによって適切でない補正値が設定されてしまうことを防止できる。
【００１０】
上記目的を達成するため、本発明に係る色補正用原稿は、色見本パッチと、前記色見本パッチの測色値を特定するための色情報と、が読み取り可能に表記されていることを特徴とする。この色補正用原稿によると、色補正用原稿を用いて色再現性を補正する作業の手間を低減できる。
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【００１１】
また、本発明は装置の発明として特定できるだけでなく、プログラムの発明としても、そのプログラムを記録した記録媒体の発明としても、方法の発明としても特定することができる。
【発明を実施するための最良の形態】
【００１２】
以下、本発明を実施するための最良の形態を実施例に基づいて説明する。
（第一実施例）
本発明の第一実施例に係る画像読み取り装置は、パーソナルコンピュータ（ＰＣ）と当該ＰＣに接続されているイメージスキャナとで構成される。
図２は、画像読み取り装置を構成するＰＣ２のハードウェア構成を示すブロック図である。ＰＣ２は、ＣＰＵ８１、ＲＯＭ８２、ＲＡＭ８３、操作部８４、表示部８５、外部記憶部８６、及びデバイスＩ／Ｆ８７を備え、これらはバス８８で相互に接続されている。操作部８４はマウスやキーボードなどで構成されている。表示部８５はＣＲＴやＬＣＤなどのディスプレイやディスプレイコントローラなどで構成され、警告手段として用いられる。外部記憶部８６はハードディスクやハードディスクコントローラなどで構成され、オペレーティングシステム（ＯＳ）、イメージスキャナ１を制御するためのデバイスドライバ、補正値、その他各種のデータなどを記憶する。デバイスＩ／Ｆ８７はＲＳ−２３２Ｃ、Ｂｌｕｅｔｏｏｔｈ、ＵＳＢなどの通信規格に準拠して構成され、イメージスキャナ１に通信可能に接続されている。ＣＰＵ８１はＲＯＭ８２や外部記憶部８６に記憶されているプログラムを実行してＰＣ２の全体を制御する。第一実施例では色補正プログラムはデバイスドライバの一部として実装され、ＣＰＵ８１は外部記憶部８６に記憶されているデバイスドライバを実行することで読み取り手段、測色値特定手段、補正値設定手段、補正手段、有効期限認識手段、及び警告手段としても機能する。ＲＯＭ８２は各種のプログラムやデータを予め記憶しているメモリであり、ＲＡＭ８３は各種のプログラムやデータを一時的に記憶するメモリである。これら各種のプログラムやデータは所定のサーバからネットワークを介してダウンロードして入力してもよいし、リムーバブルメモリ等のコンピュータ読み取り可能な記憶媒体から読み出して入力してもよい。
【００１３】
図３は、画像読み取り装置を構成するイメージスキャナ１を示す模式図である。
原稿カバー１１はヒンジにより原稿台１２の盤面を開放する姿勢から原稿台１２の盤面を覆う姿勢に揺動可能に筐体１０に連結されている。原稿カバー１１は原稿台１２の盤面に載置された原稿Ｍを押さえるとともに、光源１４の放射光以外の光が原稿Ｍを照らすことがないよう原稿台１２を覆うものである。
【００１４】
原稿台１２はガラス板等で形成され、筐体１０に形成されている矩形の開口部を閉塞している。原稿台１２の上面と筐体１０の上面とには段差があり、原稿はその段差に当接することによって位置決めされる。
リニアイメージセンサ１７は、フォトダイオード等の受光素子が図３において紙面垂直方向に直線状に並ぶ姿勢でキャリッジ１３に搭載されている。リニアイメージセンサ１７は可視光、赤外光、紫外光等、所定の波長領域の光を光電変換して得られる電荷を受光素子に一定時間蓄積し、受光素子ごとの受光量に応じた電気信号をＣＣＤ（Charge Coupled Device）、ＭＯＳトランジスタスイッチ等を用いて出力する。
【００１５】
光学系２１（図４参照）は、図３に示すように光源１４、ミラー１５、レンズ１６などで構成されている。光源１４は蛍光管ランプ等で構成されている。ミラー１５及びレンズ１６は光源１４に照射された原稿Ｍの光学像をリニアイメージセンサ１７に結像させる光路を形成する。これにより原稿Ｍの主走査線上の光学像がリニアイメージセンサ１７に結像される。
【００１６】
図４は、イメージスキャナ１を示すブロック図である。
主走査駆動部２４は、リニアイメージセンサ１７を駆動するために必要な駆動パルスをリニアイメージセンサ１７に出力する駆動回路である。主走査駆動部２４は、例えば同期信号発生器、駆動用タイミングジェネレータ等から構成される。
【００１７】
副走査駆動部２５は、リニアイメージセンサ１７の長手方向軸に垂直に架設されキャリッジ１３を摺動可能に保持する摺動軸、ステッピングモータ、駆動ベルト、駆動回路などを備えている。ステッピングモータがキャリッジ１３を駆動ベルトで牽引することでリニアイメージセンサ１７と原稿Ｍとが図３に示すα方向（副走査方向）に相対移動するため、二次元画像の走査が可能となる。
【００１８】
ＡＦＥ（アナログフロントエンド）部２２は、アナログ信号処理部、Ａ／Ｄ変換器等から構成される。アナログ信号処理部はリニアイメージセンサ１７から出力される電気信号に対して増幅、雑音低減処理等のアナログ信号処理を施して出力する。Ａ／Ｄ変換器はアナログ信号処理部から出力された電気信号を所定ビット長のディジタル表現の出力信号に量子化して出力する。
【００１９】
ディジタル画像処理部２３は、ＡＦＥ部２２から出力された出力信号に対し、ガンマ補正、画素補間法による欠陥画素の補間、シェーディング補正、画像信号の鮮鋭化、色空間変換等の処理を行ってデバイス非依存の色空間であるＬａｂ色空間で表されるディジタル画像を生成する。尚、ディジタル画像処理部２３で施す上記各種の処理は、制御部２６で実行するコンピュータプログラムによる処理に置き換えてもよい。
【００２０】
インタフェース（Ｉ／Ｆ）部２０は、ＲＳ−２３２Ｃ、Ｂｌｕｅｔｏｏｔｈ、ＵＳＢなどの通信規格に準拠して構成され、ＰＣ２に通信可能に接続されている。
制御部２６は、ＣＰＵ２７、ＲＯＭ２８及びＲＡＭ２９を備えている。ＣＰＵ２７はＲＯＭ２８に記憶されたコンピュータプログラムを実行してイメージスキャナ１の各部を制御する。ＲＯＭ２８は各種のプログラムやデータを記憶しているメモリであり、ＲＡＭ２９は各種のプログラムやデータを一時的に記憶するメモリである。
【００２１】
次に、色補正用原稿について説明する。
図１は、色補正用原稿を示す模式図である。色補正用原稿３０には互いに異なる色を表す複数の色見本パッチ、色情報としての複数のバーコード３２、及び有効期限を表す数字３３が印刷によって表記されている。ここで色見本パッチとは色補正用原稿３０上の特定の一色で塗りつぶされている矩形の領域３１ａ〜３１ｔのことをいう。第一実施例では概ね黒色から薄い灰色までの１４色の色見本パッチが左から右、上から下の順で徐々に色が薄くなっていくように配列されている。バーコード３２は複数の色見本パッチの測色値の平均値を表すものである。複数の色見本パッチはそれぞれ測色機を用いて測色され、一つの色見本パッチについて一つの測色値が求められる。色見本パッチの測色値の平均値とはそれら複数の測色値の平均値のことをいう。ディジタル画像の階調値と測色値とは同じ色空間で比較する必要があるため、測色値はディジタル画像と同様にＬａｂ色空間で表すものとする。このため色補正用原稿３０には測色値の平均値のＬ成分、ａ成分及びｂ成分に対応する３つのバーコード３２Ｌ、３２ａ、３２ｂが印刷されている。尚、ＸＹＺ色空間などのような他のデバイス非依存の色空間を基準の色空間としてもよい。ＲＧＢなどのデバイス依存の色空間の場合は経年変化のない状態でもイメージスキャナ１と測色機との間で結果が異なる場合があり、何等かの対応が必要であるため好ましくない。有効期限３３は当該色補正用原稿３０を用いて補正値を設定することのできる期限を示すものである。第一実施例では西暦２００３年以内は有効期限内であることを意味する”２００３”という数字が印刷されている。印刷された色見本パッチは時間と共に退色し、正確な補正値を設定できなくなる。退色しない期間あるいは退色の程度が許容範囲内である期間が満了する時を有効期限として表記すると、ユーザは当該色補正用原稿３０が有効であるか無効であるかを視認でき、正確でない補正値が設定されてしまうことを防止できる。
【００２２】
次に、色補正プログラムについて説明する。
図５は、色補正プログラムの論理的な構成を示すブロック図である。補正プログラムは読み取り部４１、有効期限認識部４２、警告部４３、測色値特定部４４、補正値設定部４５、及び補正部４６を備える。尚、図中には便宜上読み取り部４１を２つ示しているが、それらは同一のものである。
【００２３】
読み取り部４１は、イメージスキャナ１を制御してディジタル画像を読み取る処理を実行する。
有効期限認識部４２は、色補正用原稿３０を読み取って出力されるディジタル画像に基づいて有効期限を認識する処理を実行する。具体的には出力されたディジタル画像の有効期限が表記されている領域に対応する領域に対して所謂ＯＣＲ（Optical Character Reader）と同様の画像処理を行うことによって有効期限を認識する。
【００２４】
警告部４３は、有効期限認識部４２で認識された有効期限が過ぎていると警告を発する処理を実行する。認識された有効期限が”２００３”であり、今日が２００４年であったとすると、警告部４３は例えば「この色補正用原稿３０は有効期限が過ぎています」という警告メッセージを表示部８５に表示する。なお、音再生手段を備える場合は音声ファイルを再生したり音を鳴らしたりして警告してもよい。また、イメージスキャナ１がＬＣＤを備える場合は当該ＬＣＤに表示することによって警告してもよいし、イメージスキャナ１がＬＥＤを備える場合は当該ＬＥＤを点灯させることによって警告してもよい。今日が２００３年である場合はまだ有効期限が過ぎていないため警告は発しない。有効期限を認識して警告するようにすると、表記されている有効期限に気付かず退色した色補正用原稿を用いてしまった場合でも、適切でない補正値が設定されてしまうことを防止できる。尚、有効期限をバーコードで表記してもよい。
【００２５】
測色値特定部４４は、読み取り部４１によって出力されたディジタル画像であって色補正用原稿３０を読み取って出力されたディジタル画像に基づいて色情報を認識し、認識した色情報に基づいて測色値を特定する処理を実行する。具体的には所謂バーコードリーダと同様の画像処理を行うことによってバーコード３２のバー及びスペースのパターンを解析し、当該パターンに対応する特定の文字に変換する。第一実施例では測色値を表す数字がバーコードとして印刷されているため、測色値を表す数字に変換される。従って第一実施例ではバーコード３２を認識することによって色情報の認識と測色値の特定とを一度で行うことができる。色情報をバーコードで表記するとバーコードを読み取るための公知の技術を流用できるため、色情報の認識が容易になる。
【００２６】
補正値設定部４５は、色補正用原稿３０を読み取って出力されたディジタル画像の色見本パッチを表す画素の階調値と測色値特定部４４によって特定された測色値とに基づいて補正値を設定する処理を実行する。具体的には測色値の平均値と複数の色見本パッチに対応する複数の階調値の平均値とに基づいて補正値を設定する。
【００２７】
図６（Ａ）は測色値特定部４４によって特定された測色値を示す模式図であり、図６（Ｂ）はディジタル画像において色見本パッチを表す画素の階調値を色見本パッチ毎に示す模式図である。一つの色見本パッチは複数の画素で表されるため、例えばそれら複数の画素についての平均値を当該色見本パッチの階調値とする。図６（Ｃ）は補正値を示す模式図である。図６（Ｂ）の最下行には色見本パッチの階調値の平均値をＬ成分、ａ成分及びｂ成分毎に示している。補正値は図６（Ａ）に示す測色値から図６（Ｂ）の最下行に示す色見本パッチの階調値の平均値を減じることによって求める。この結果、図６（Ｃ）に示すようにＬ成分、ａ成分及びｂ成分毎に補正値が求められる。求められた補正値は外部記憶部８６に記憶される。これにより補正値が設定される。
【００２８】
補正部４６は、読み取り部４１によって任意の原稿を読み取って出力されたディジタル画像の階調値を補正値設定部４５によって設定された補正値に基づいて補正する処理を実行する。補正は、具体的には任意の原稿を読み取って出力したディジタル画像の画素にＬ成分、ａ成分及びｂ成分毎に補正値を加えることによって行う。例えばＬ成分の補正値が−５、ａ成分の補正値が１、ｂ成分の補正値が３であったとすると、出力されたディジタル画像の全画素のＬ成分に一律に−５を加え、全画素のａ成分に一律に１を加え、全画素のｂ成分に一律に３を加える。
【００２９】
次に、補正値を設定する処理の流れについて説明する。
図７（Ａ）は、補正値を設定する処理の流れを示すフローチャートである。
Ｓ１０５では、イメージスキャナ１は色補正用原稿３０を読み取ってＰＣ２にディジタル画像を出力する。
Ｓ１１０では、ＰＣ２は出力されたディジタル画像に基づいて有効期限を認識し、期限が過ぎているか否かを判定する。期限が過ぎている場合はＳ１１５に進み、過ぎていないときはＳ１２０に進む。
【００３０】
Ｓ１１５では、警告を発して処理を中止する。
Ｓ１２０では、出力されたディジタル画像に基づいて色情報を認識し、認識した色情報に基づいて測色値を特定する。
Ｓ１２５では、出力されたディジタル画像と測色値とに基づいて補正値を設定する。
【００３１】
次に、ディジタル画像の階調値を補正する処理の流れについて説明する。
図７（Ｂ）は、ディジタル画像の階調値を補正する処理の流れを示すフローチャートである。
Ｓ２０５では、イメージスキャナ１は任意の原稿を読み取ってＰＣ２にディジタル画像を出力する。
【００３２】
Ｓ２１０では、ＰＣ２は出力されたディジタル画像の階調値を補正値に基づいて補正する。補正後のディジタル画像は例えばＹＣｂＣｒ色空間に変換されて外部記憶部８６に記憶される。
以上説明した本発明の第一実施例に係る画像読み取り装置によると、経年変化によって色再現性が低下したときに補正を行うことにより、簡易に色再現性を初期状態に戻すことができる。また、イメージスキャナ１が複数存在する場合、それら複数のイメージスキャナ１に対して補正を行うことにより、個体差による色再現性の違いを簡易に吸収できる。補正においては、色補正用原稿３０に表記されている色情報から測色値が特定されるため、作業者は色補正用原稿３０を読み取らせる作業だけを行えばよく、測色値が格納されているファイルを読み込んだり、読み込んだ測色値を画像読み取り装置に入力したりする作業を行う必要がない。また、色補正用原稿３０のロットと測色値が対象とする色補正用原稿のロットとのずれが起きることがなく、ダウンロードなどの作業が発生しない。よってこの画像読み取り装置によると、色補正用原稿３０を用いて色再現性を補正する作業の手間を低減できる。
【００３３】
なお、本実施例ではＰＣ２とイメージスキャナ１とで画像読み取り装置を構成する場合を例に説明したが、イメージスキャナ側で色補正プログラムを実行することによりイメージスキャナのみで画像読み取り装置を構成してもよい。
【００３４】
（第二実施例）
第二実施例は、色空間変換テーブルを補正する場合の例である。
色空間変換テーブルとは色空間変換を行うために用いるテーブルであり、ある色空間で表される階調値を別の色空間の階調値に対応付けるテーブルである。例えばＲＧＢ色空間をＬａｂ色空間に対応付ける色空間変換テーブルの場合、Ｒ、Ｇ及びＢの値の組み合わせが決まると対応するＬ、ａ、及びｂの値の組み合わせを当該色空間変換テーブルによって一意に特定することができる。従ってＲＧＢ色空間で表されるディジタル画像の場合、各画素についてＲ、Ｇ及びＢの値をＬ、ａ及びｂの値に変換することによってＬａｂ色空間で表されるディジタル画像に変換することができる。色空間変換テーブルはＩＣＣプロファイルの中心的な存在である。ＩＣＣプロファイルとはカラーマネジメント技術の国際標準規格で規定されているファイルであり、デバイス依存の色空間とデバイス非依存の色空間とのマッチングを行うために用いられるファイルである。第二実施例においてもＩＣＣプロファイルを用いて色空間変換を行うものとする。
【００３５】
第二実施例のＣＰＵ２７はＲＯＭ２８に記憶されている色補正プログラムを実行することにより変換テーブル更新手段としても機能する。
次に、第二実施例の色補正プログラムについて説明する。
図８は、第二実施例の色補正プログラムの論理的な構成を示すブロック図である。色補正プログラムは読み取り部５１、測色値特定部５２、及び変換テーブル更新部５３を備える。尚、図中には便宜上読み取り部５１を２つ示しているが、それらは同一のものである。また、第二実施例の色補正プログラムも第一実施例と同じ有効期限認識部４２及び警告部４３を備えるが、図８では理解を容易にするため省略して示している。
【００３６】
読み取り部５１は、各部を制御してディジタル画像を読み取る処理を実行する。第二実施例の読み取り部５１は、原稿を読み取ってデバイス依存の色空間であるＲＧＢ色空間で表されるディジタル画像を作成し、作成したディジタル画像の色空間を色空間変換テーブルに基づいてデバイス非依存の色空間であるＬａｂ色空間に変換して出力する。
【００３７】
測色値特定部５２は、第一実施例の測色値特定部４４と実質的に同一であるため説明は省略する。
変換テーブル更新部５３は、色補正用原稿を読み取って出力されたディジタル画像の色見本パッチを表す画素の階調値と測色値特定部５２で特定された測色値とに基づいて色空間変換テーブルを更新する処理を実行する。補正は、具体的には色空間変換テーブルのＬ成分、ａ成分及びｂ成分毎に補正値を加えることによって行う。例えばＬ成分の補正値が−５、ａ成分の補正値が１、ｂ成分の補正値が３であったとすると、色空間変換テーブルのＬ成分に一律に−５を加え、ａ成分に一律に１を加え、ｂ成分に一律に３を加える。例えば色空間変換テーブルにおいて（１００、６４、２２７）というＲＧＢ値が（９６、６９、８４）というＬａｂ値に対応付けられているとする。この場合、変換テーブル更新部５３は（９６、６９、８４）を（９１、７０、８７）（＝（９６−５、６９＋１、８４＋３））に更新する。このようにして各ＲＧＢに対応付けられるＬａｂの値を全て一律に更新することにより、次回の読み取りでは例えば（１００、６４、２２７）というＲＧＢ値は（９１、７０、８７）というＬａｂ値に変換されることになり、測色値との差が解消される。
【００３８】
（第三実施例）
第三実施例は、色情報が文字で表記されている色補正用原稿の例である。
図９は、第三実施例の色補正用原稿６０を示す模式図である。図示するように色補正用原稿６０はバーコードではなく測色値のＬ成分、ａ成分及びｂ成分を表す数字６１、６２及び６３が色情報として印刷されている。
第三実施例の測色値特定部は、出力されたディジタル画像に対して画像処理を行うことによって数字を認識し、認識した数字が表す値を測色値とする。
【００３９】
（第四実施例）
第四実施例は、測色値を通信ネットワーク経由で取得するためのＵＲＬが表記されている色補正用原稿の例である。
図１０（Ａ）は第四実施例の色補正用原稿を示す模式図であり、図１０（Ｂ）は測色値が記録されているテキストファイルを示す模式図である。測色値が記録されているテキストファイル７２は通信ネットワークに接続されている所定のサーバに記憶されており、色補正用原稿７１にはテキストファイル７２のＵＲＬ７３が印刷されている。
【００４０】
第四実施例の測色値特定部は、出力されたディジタル画像に対して画像処理を行うことによってＵＲＬ７３を認識する。次に、認識したＵＲＬ７３で特定されるテキストファイル７２を通信ネットワーク経由でダウンロードし、テキストファイル７２に記録されているデータを読み込むことによって測色値を特定する。
【００４１】
第四実施例の色補正用原稿によると、測色値に万一誤りがあったとしてもサーバ側の測色値を訂正するだけでよく、測色値の訂正が容易になる。また、画像読み取り装置がダウンロードを実行するためユーザはダウンロードのための操作を行う必要がなく、ダウンロードにかかる手間を低減できる。
なお第一実施例〜第四実施例では色情報をバーコード、数字、ＵＲＬなどで表記する場合を例に説明したが、色情報は例えば予め決めておいた図形などであってもよい。
【図面の簡単な説明】
【００４２】
【図１】本発明の第一実施例に係る色補正用原稿の模式図。
【図２】本発明の第一実施例に係るＰＣのブロック図。
【図３】本発明の第一実施例に係るイメージスキャナの模式図。
【図４】本発明の第一実施例に係るイメージスキャナのブロック図。
【図５】本発明の第一実施例に係る色補正プログラムのブロック図。
【図６】（Ａ）は本発明の第一実施例に係る測色値の一例を示す模式図、（Ｂ）は色見本パッチを表す画素の階調値の一例を示す模式図、（Ｃ）は補正値の一例を示す模式図。
【図７】（Ａ）及び（Ｂ）は本発明の第一実施例に係る処理の流れを示すフローチャート。
【図８】本発明の第二実施例に係る色補正プログラムのブロック図。
【図９】本発明の第三実施例に係る色補正用原稿の模式図。
【図１０】（Ａ）は本発明の第四実施例に係る色補正用原稿の模式図、（Ｂ）は測色値が記録されているファイルの模式図。
【符号の説明】
【００４３】
１  イメージスキャナ（読み取り手段）、２  パーソナルコンピュータ、８１  ＣＰＵ（読み取り手段、測色値特定手段、補正値設定手段、補正手段、有効期限認識手段、警告手段、変換テーブル更新手段）、３０  色補正用原稿、３１  色見本パッチ、３２  色情報、６０  色補正用原稿、６１、６２、６３  色情報、７１  色補正用原稿、７３  色情報  ８５  表示部（警告手段）
【図２】
2005184660.tif 000003
【図３】
2005184660.tif 000004
【図４】
2005184660.tif 000005
【図５】
2005184660.tif 000006
【図６】
2005184660.tif 000007
【図７】
2005184660.tif 000008
【図８】
2005184660.tif 000009
【図１】
2005184660.tif 000010
【図９】
2005184660.tif 000011
【図１０】
2005184660.tif 000012